(57)【要約】【課題】２次元コードを適用して視覚的媒体とインターネットという異なるアクセス手段を有機的に結び付けた、マルチアクセス広告システムを提供する。【解決手段】視覚的媒体に配置された表示に基づいて、インターネット環境の所望の広告・情報サイトへユーザーを誘導するマルチアクセス広告・情報提供システムであって、視覚的媒体に配置する表示として、広告・情報サイトへのリンク手段を有する２次元コード１４と、上記２次元コードに収録されているリンク先へ接続可能な機能を備えたブラウジング装置１７とを具備し、ユーザーが上記ブラウジング装置により視覚的媒体から２次元コードを読み込んで広告・情報サイトへアクセスするもので、２次元コードには、ユーザーのアクセスした２次元コードがどの視覚的媒体に配置されたものであるかを識別するトラッキング情報を付加されている。【選択図】          図１
2009020756.tif 000002
【特許請求の範囲】
【請求項１】
印刷物や室内外に設置した広告ないし情報からなる視覚的媒体に所定の表示を配置し、上記表示に基づいて、インターネット環境の所望の広告・情報サイトへユーザーを誘導するマルチアクセス広告・情報提供システムであって、
視覚的媒体に配置する表示として、広告・情報サイトへのリンク手段を有する２次元コードと、
上記２次元コードを認識可能であるとともに、２次元コードに収録されているリンク先へ接続可能な機能を備えたブラウジング装置とを具備し、
ユーザーが上記ブラウジング装置により視覚的媒体から２次元コードを読み込み、インターネット環境におけるＷｅｂページに掲載されている、広告・情報サイトへアクセスするように構成し、
２次元コードには、ユーザーのアクセスした２次元コードがどの視覚的媒体に配置されたものであるかを識別するトラッキング情報を付加したものとする
ことを特徴とするマルチアクセス広告・情報提供システム。
【請求項２】
広告・情報サイトにはバナー広告の形で所定カテゴリーに属する複数個の広告対象物が配置されているか、或いは、上記複数個の広告対象物をローテーション接続により表示するように構成された請求項１記載のマルチアクセス広告・情報提供システム。
【請求項３】
２次元コードが、ＱＲコード（登録商標）である請求項１記載のマルチアクセス広告・情報提供システム。
【請求項４】
ＱＲコード（登録商標）には、広告の属するカテゴリー又はコンテンツを示唆する文字又は図形のいずれか１以上を併せて配置した請求項３記載のマルチアクセス広告・情報提供システム。
【発明の詳細な説明】
【技術分野】
【０００１】
本発明は、印刷物や室内外に設置した広告ないし情報からなる視覚的媒体に所定の表示を配置し、上記表示に基づいて、インターネット環境の所望の広告・情報サイトへユーザーを誘導するマルチアクセス広告・情報提供システムに関するものである。
【背景技術】
【０００２】
例えば新聞や雑誌といったプリントメディア（印刷媒体）は、これまでは広告手段の主流であったということができる。別の広告手段としてラジオ、テレビなどの電波メディアが対抗するようになって久しいけれども、電波メディアはプリントメディアと並立していたといっても良い。これに対し、近年になってインターネットが急速に普及するようになったが、そのＷｅｂサイトに展開される広告の量と質は、これまでのプリントメディアや電波メディアのそれとは比較にならないほどのものである。このようなインターネット広告を始めとするメディア環境の大変革の中で、印刷物や室内外に設置する広告は苦戦を強いられているといわなければならない。
【０００３】
一方、インターネット広告の分野では、Ｗｅｂサイト（インターネット環境）に掲載するだけの初期の方式から様々に工夫され、より費用対効果の高い方式へ進化しつつある。インターネット広告における変遷としては、Ｗｅｂサイトに費用を投じて掲載した広告がどれだけ営業上の利益に結び付いているのかを把握することが中心になっている。そのための手段として、あらかじめ指定したキーワードやＵＲＬによる検索によってのみ広告が表示され、さらにそれをクリックすることによって課金され、管理者に所定の手数料が支払われるリスティングと称する方式であるとか、Ｗｅｂサイトに張られた企業サイトへのリンクにより、ユーザーがそれによってアクセスするか或いは商品を購入した場合に、管理者に所定の手数料が支払われるアフィリエイトと称する方式などがある（例えば特開２００２−１１７３１８号等）。
【０００４】
本発明者は上記の実情に鑑み、信頼性、安定性を特徴とする新聞や雑誌といった印刷媒体に代表される視覚的媒体と、インターネットを多元的に結び付けることができるならば、新たな広告・情報需要を喚起することができ、かつ視覚的媒体による広告・情報に新たな価値を付加することができるとの着想を得て本発明を開発したものである。これにより本発明は新聞、雑誌に代表される視覚的媒体とインターネットという異なるアクセス手段を結び付けるものであるから、マルチメディアないしはマルチアクセスによる広告・情報装置を実現できることとなる。このような意図の下に、本発明においては、視覚的媒体に組み合わされる新たな情報仲介手段として２次元コードを適用することに着目した。
【０００５】
【特許文献１】特開２００１−１１７８４７号
【特許文献２】特開２００２−１１７３１８号
【特許文献３】特開２００２−１５７４９４号
【特許文献４】特開２００６−１１３８８４号
【発明の開示】
【発明が解決しようとする課題】
【０００６】
従って本発明の課題は、２次元コードを適用して視覚的媒体とインターネットという異なるアクセス手段を有機的に結び付けた、マルチアクセス広告・情報提供システムを提供することである。また、本発明の他の課題は、新聞、雑誌を始めとする視覚的媒体に新たな付加価値を与え、活字文化の発展に寄与することである。また、本発明の他の課題は、新聞、雑誌等の読者をインターネット環境へ導くことにより、特質の異なる二つの媒体が融合した新たな広告・情報提供システムを構築することである。
【課題を解決するための手段】
【０００７】
前記の課題を解決するため、本発明は、
印刷物や室内外に設置した広告ないし情報からなる視覚的媒体に所定の表示を配置し、上記表示に基づいて、インターネット環境の所望の広告・情報サイトへユーザーを誘導するマルチアクセス広告・情報提供システムについて、
視覚的媒体に配置する表示として、広告・情報サイトへのリンク手段を有する２次元コードと、
上記２次元コードを認識可能であるとともに、２次元コードに収録されているリンク先へ接続可能な機能を備えたブラウジング装置とを具備し、
ユーザーが上記ブラウジング装置により視覚的媒体から２次元コードを読み込み、インターネット環境におけるＷｅｂページに掲載されている、広告・情報サイトへアクセスするように構成し、
２次元コードには、ユーザーのアクセスした２次元コードがどの視覚的媒体に配置されたものであるかを識別するトラッキング情報を付加する
という手段を講じたものである（請求項１記載の発明）。
【０００８】
本発明に係るマルチアクセス広告・情報提供システムは、印刷物や広告物のように主として視覚に訴える媒体を使用して行なう広告及び情報を提供するシステムの改良に相当する。本発明の対象となる視覚的媒体という文言は、前述した新聞、雑誌、パンフレットのような印刷物、屋外広告に代表される室外或いは室内の広告、看板及びその他の情報を含むものの総称であり、印刷、手書き、工業的手法により形成された文字、記号、図柄などを含むものである。主として有料の情報などは無形の商品のように扱われるので、有体物である商品の広告と全く同様に取り扱うことができる。上記の視覚的媒体には、所定の表示を配置する。
【０００９】
上記表示は、それに基づいて、インターネット環境の所望の広告・情報サイトへユーザーを誘導するための手段となる。この表示は、視覚的媒体に配置する表示として、また視覚的なものであり、本発明においては２次元コードを適用する。そして２次元コードは、広告・情報サイトへのリンク手段を有する。リンク手段としては、ＷｅｂサイトへアクセスするためのＵＲＬなどを使用することができる。
【００１０】
上記２次元コードをユーザーが利用可能にするために、本発明では２次元コードを認識可能であるとともに、２次元コードに収録されているリンク先へ接続可能な機能を備えたブラウジング装置を具備する。このブラウジング装置としては、ユーザーが所有するいわゆるブラウザフォン、例えばデジタルカメラを内蔵し、それによって撮影した画像データを、インターネット環境を経由して送信可能な携帯情報端末（携帯電話機等）を使用することができる。
【００１１】
このようにして、ユーザーは上記ブラウジング装置により視覚的媒体から２次元コードを読み込み、かつリンク先を指定することにより、インターネット環境におけるＷｅｂページに掲載されている、広告・情報サイトへアクセスすることとなる。このことは、最小限度ではあるものの、２次元コードを適用して視覚的媒体とインターネットという異なるアクセス手段を有機的に結び付けた、マルチアクセス広告・情報提供システムを構築できたことを意味している。
【００１２】
２次元コードには、ユーザーのアクセスした２次元コードがどの視覚的媒体に配置されたものであるかを識別するトラッキング情報を付加する。これにより、或るユーザーが或る広告・情報サイトへアクセスしたことを契機として、トラッキングソフトが起動するように設定される。従って、上記に構築したマルチアクセス広告・情報提供システムを利用し、場合によりクッキーなどを使用して情報の流れを逆に辿り、ユーザーのアクセス状況を監視することにより、どの視覚的媒体に表示されていた２次元コードを利用したのかを突き止めることができるから、アフィリエイト広告などの広告ビジネス、或いは有料情報販売ビジネス等の分野への本発明の利用が可能になる。
【００１３】
さらに、広告・情報サイトにはバナー広告の形で所定カテゴリーに属する複数個の広告・情報対象物を配置するか、或いは上記複数個の広告・情報対象物をローテーション接続により表示するように構成することが望ましい（請求項２記載の発明）。これにより、特定の広告・情報１件だけでなく、特定分野に絞り込んだ中の複数の広告・情報を一覧することができるようになる。また２次元コードの接続先サーバーでローテーションリンクを行なうことにより、ダイレクトに広告・情報ページに接続することも可能となる。
【００１４】
２次元コードとしては、ＱＲコード（登録商標）を使用することが望ましい（請求項４記載の発明）。ＱＲコード（登録商標）には、広告・情報の属するカテゴリー又はコンテンツを示唆する文字又は図形のいずれか１以上を併せて配置することができる（請求項５記載の発明）。これにより、２次元コードの意味する内容が分かりやすいものとなり、また、ユーザーの目を惹き易い外観を具えたものとなる。この場合、ＱＲコード（登録商標）に重なったり、接近し過ぎたりする文字や図柄などは、読み取りの制約になることがあるので留意する必要もある。なお従来のシステムでは、ＱＲコード（登録商標）１個に付いて一つのモバイルサイト（一つのＷｅｂページ）にアクセスするのが常識であったが、ローテーション接続により、１個のＱＲコード（登録商標）で複数の広告主及び情報提供サーバーへの接続（マルチプル接続）が可能になる。
【発明の効果】
【００１５】
本発明は以上のように構成されかつ作用するものであるから、２次元コードを適用して視覚的媒体とインターネットという異なるアクセス手段を有機的に結び付けた、マルチアクセス広告・情報提供システムを提供することができるという効果を奏する。また、本発明により、新聞、雑誌を始めとする視覚的媒体に新たな付加価値を与え、活字文化の発展に寄与することができる。さらに、本発明によれば、新聞、雑誌等の読者をインターネット環境へ導くことにより、特質の異なる二つの媒体が融合した新たな広告・情報提供システムを構築することができる。
【発明を実施するための最良の形態】
【００１６】
以下図示の実施形態を参照して本発明をより詳細に説明する。図１は本発明に係るマルチアクセス広告・情報提供システム１０の一例を概念的に示すフロー図であり、１１は新聞、１２は雑誌の紙面を夫々示しており、これらの新聞１１、雑誌１２は視覚的媒体１３を代表するものとして扱われている。これらの視覚的媒体１３の紙面には、２次元コード１４としてＱＲコード（登録商標）が所定の位置に配置されている。
【００１７】
図１の例では、話題性の高いスポーツ選手を扱った記事に隣接した位置にスポーツ情報に関連する２次元コード１４を配置し、食品に関する記事の見出し下にはグルメ情報に関係する２次元コード１４を配置している。これらの２次元コード１４には、広告・情報コンテンツがスポーツ情報に関すること、グルメ情報に関すること等を示唆する簡単な説明文１５を併記する。また、上記２次元コード１４にはユーザーのアクセスした２次元コード１４が視覚的媒体１３のどれに配置されたものであるかを識別するトラッキング情報が付加されている（図５参照）。なお、１６は本システムの表示を示す。
【００１８】
１７はブラウジング装置（携帯情報端末等）としての携帯電話機であり、一般的にはブラウザフォンなどと呼ばれているものを使用可能である。このブラウジング装置１７は上記２次元コード１４を認識する手段としてデジタルカメラを内蔵し、かつ撮影した画像データを、インターネット環境を経由して送信することにより、２次元コード１４に収録されているリンク先へ接続可能な機能を備えている。従ってブラウジング装置１７はユーザーを示すものでもある。
【００１９】
１８は接続先のＷｅｂサイトに設置された広告・情報配信装置であり、Ｗｅｂサイトにバナー広告の形で所定カテゴリーに属する複数個の広告・情報対象物として配置され、インターネットを含むモバイル通信環境に接続される１台以上のコンピューターによって構成され、Ｗｅｂ上に公開されているサーバーを含み、所定のＵＲＬを指定することによりアクセス可能な機能を備えている。この広告・情報配信装置１８はリンク先が関連付けられた多数の広告コンテンツを記憶した広告データベースを有し、ユーザーからアクセスされた対象と同一のカテゴリー（或いはジャンル）に属する複数の広告コンテンツ１９をサーバーにより順次選択して単独に表示し、それらのリンク先へ自動的にローテーション接続できる機能を有している。なお、情報提供ビジネスの場合には広告・情報配信装置１８には情報コンテンツを記憶した情報データベースが備えられ、収録情報について上記と同様の処理がなされる。
【００２０】
２０はインターネット環境におけるＷｅｂページに掲載されている広告・情報サイト、すなわち各広告・情報主のモバイルサイトである。この広告・情報サイト２０は、ユーザーがアクセスしたときに、当該アクセスを契機としてトラッキングソフトが起動するように構成されている。
【００２１】
ユーザーを上記のカテゴリー（或いはジャンル）に属する複数の広告・情報コンテンツ１９へ誘導するには、次の例に示す方法がある。この例はスポーツに関するものである。
例：スポーツ
総合          大分類              小分類
マルチ→→→→スポーツ→→→→→→スポーツニュース
他の大分類            →ゴルフ
ニュース            →テニス
政治                →ジョギング
経済                →サーフィン
ライフスタイル      →スキー
ホビー              →キャンペーン
エンターテイメント  →スポーツチケット
食                  →昨日のホームラン（動画）
環境                →等々
等々                
ここで、大分類、小分類のカテゴリーに拘らず本発明によってアクセスされたリンク先の広告・情報は、前記のローテーションを経て、本発明における管理者である広告・情報配信装置１８のサーバーによって適宜配信される構成である。媒体によっては大分類の「スポーツ」のカテゴリーに掲載することができるが、視覚的媒体１３が例えばゴルフ雑誌である場合にはさらに絞り込んで「ゴルフ」のカテゴリーを掲載しユーザーの要求に応えられるようにする。
【００２２】
このような構成における本発明のシステムの運用について図２を参照して説明すると、広告・情報主２０は、広告・情報配信装置（サーバー）１８にインターネットを経由して本システムにアクセスし、参加申し込みをするとともに、Ｗｅｂページに掲載すべき表示やデザインなどの広告原稿をデータとして出稿する。参加申し込みにより広告・情報配信装置１８はクッキー（トラッキング情報）を作成し、そのクッキーフォルダー内に広告・情報主２０を識別するためのＩＤ、サイトＩＤ、バナーＩＤ等を保存する。広告・情報配信装置１８は、次いで予め登録された媒体各社２１に、トラッキング情報２２の付いた２次元コード１４を配付し、上記媒体各社２１は、夫々の視覚的媒体１３を構成する新聞１１、雑誌１２の適切な紙面上の位置に、配布された２次元コード１４を配置する。ユーザーは、上記の視覚的媒体１３を読み、記事の近くに印刷されている情報を欲すると推測した２次元コード１４をブラウジング装置１７により読み込み、リンク先を指定することで広告・情報配信装置１８を通じて広告・情報主にアクセスすることになる。リンク先の広告・情報主２０は、ユーザーの使用するモバイルサイト又はＰＣページを配信する。ユーザーによる上記一連のアクセス行為は前記広告・情報配信装置１８の識別情報に基づいてトラッキングされ、どの視覚的媒体１３に表示されていた２次元コード１４を利用したのかが突き止められるので、管理者である広告・情報配信装置１８は広告・情報主にアフィリエイトの報告とともに広告・情報料金を請求する。なお、広告・情報主は上記請求に応じた支払いを広告・情報配信装置１８の設置会社に対して行ない、また、管理者である広告・情報配信装置１８は、視覚的媒体を運営する媒体各社２１に対して応分の広告・情報料金を支払うことになる。なお、ユーザーからのアクセスがモバイルによるものか或いはＰＣ（パーソナルコンピューター）によるものかは、広告・情報配信装置１８の自動識別機能により対応するものとする。
【００２３】
図３は、上記システムの運用についてユーザー側から見た状態を示すものである。ユーザーは視覚的媒体１３を読み、関心を抱いた記事等の近くに印刷された２次元コード１４をブラウザフォンなどのブラウジング装置１７により読み込み、広告・情報・情報配信装置１８を通じて広告・情報・情報主にアクセスする。広告・情報・情報配信装置１８は、サーバー内ローテーションにより選択されたリンク先に接続し、これによりユーザーを目的カテゴリーの広告・情報サイトに誘導することになる。
【００２４】
上記の例において使用した２次元コード１４であるＱＲコード（登録商標）には、広告及び情報の属するカテゴリー又はコンテンツを示唆する文字又は図形のいずれか１以上を併せて配置することができるので、図４にその例を示す。Ａはゴルフ情報のカテゴリーに属する広告・情報であることを示唆する簡単な説明文１５と本システムの表示１６を２次元コード１４に近接して併記した例、Ｂはプレゼント付きであることを示す説明文１５と本システムの表示１６を同様に併記した例、Ｃはゴルフボールのイラストの中に２次元コード１４を配置し、周囲に説明文１５と本システムの表示１６を併記した例、Ｄはテニスのラケットのイラストの中に２次元コード１４を配置し、周囲に説明文１５と本システムの表示１６を併記した例、Ｅは矢印のシンボルの中に２次元コード１４を配置し、矢印内の先頭に説明文１５を、後部に本システムの表示１６を併記した例を示す。
【００２５】
本発明に係るシステムは以上のように構成されているので、従来のサーチエンジン型を機能の中に収容することも可能である。しかし、基本的には本システムを運用する組織、企業等において人為的に集稿された広告・情報をもとに掲載され、また、入札金額の多寡によってリンク先ページへの表示順、表示係数の変動するものとし、それにより自由競争原理の働いた広告・情報ビジネスモデルが確立することとなる。
【産業上の利用可能性】
【００２６】
本発明においては、使用するスペースの少ない２次元コードを、印刷物や室内外に設置した広告・情報からなる視覚的媒体に配置してシステムが構築されるので、前記新聞、雑誌の他屋外広告（ＯＯＨ）への広告掲載の機会が格段に拡がると考えられ、アフィリエイト広告・情報モデルにおいて、広告・情報主にとっては必要最小限の出費で広告・情報を掲載できるメリットがあるとともに、申し込み時に広告・情報料金を高く設定することにより、特定のカテゴリーにおける独占的な広告・情報出稿も可能になる。また、本発明を採用した新聞社、出版社等の視覚的媒体を扱う企業においては、コンスタントに広告・情報収入を得ることができると推測されるので、経営体力の維持強化につながり、ひいては活字文化の発展に寄与することになると判断される。
【図面の簡単な説明】
【００２７】
【図１】本発明に係るマルチアクセス広告・情報提供システムの一例における作業の流れを概念的に示すフロー図である。
【図２】同上のシステムにおける通信の状態を概念的に示す広告・情報主及び管理者側の説明図である。
【図３】同じくユーザー側から見た通信の状態を概念的に示す説明図である。
【図４】本発明に使用するＱＲコード（登録商標）の例を示す説明図である。
【図５】媒体各社のトラッキング情報の付設例を示す説明図である。
【符号の説明】
【００２８】
１０  マルチアクセス広告・情報提供システム
１１  新聞
１２  雑誌
１３  視覚的媒体
１４  ２次元コード
１５  簡単な説明文
１６  本システムの表示
１７  ブラウジング装置
１８  広告・情報配信装置
１９  広告・情報コンテンツ
２０  広告・情報サイト
２１  媒体各社
２２  トラッキング情報
【図１】
2009020756.tif 000003
【図２】
2009020756.tif 000004
【図３】
2009020756.tif 000005
【図４】
2009020756.tif 000006
【図５】
2009020756.tif 000007